(57)【要約】      （修正有）【課題】作業位置と足場との間に大きな間隔があっても屋上施工時の安全性を十分に確保することが可能で、しかも、通常の足場と同様に、作業スペースに合わせて簡単に設置することができる高所作業用の手摺支持構造を提供する。【解決手段】仮設用足場Ｐを構築する楔ポケット付の建地１０を設ける。該建地１０に連結される楔付の張り出しブラケット２０を設ける。該張り出しブラケット２０の水平管に手摺支持体３０を設ける。手摺支持体３０は、スライド管及び該スライド管の先端に垂直に支持された手摺支持管にて構成される。該手摺支持体３０の手摺支持管に位置調整自在に連結される楔付の手摺体を設ける。仮設用足場Ｐの建地１０から張り出しブラケット２０を介して手摺支持体３０を設置する。この手摺支持体３０に、屋根作業用の手摺体を連結するように設ける。【選択図】図１
0003159046.tif 000002
【実用新案登録請求の範囲】
【請求項１】
仮設用足場を構築する楔ポケット付の建地と、該建地に連結される楔付の張り出しブラケットと、該張り出しブラケットの水平管にスライド自在に連結されたスライド管及び該スライド管の先端に垂直に支持された楔ポケット付の手摺支持管にて構成された手摺支持体と、該手摺支持体の手摺支持管に位置調整自在に連結される楔付の手摺体とで構成され、仮設用足場の建地から張り出しブラケットを介して家屋の屋根又は屋上に至るように設置された手摺支持体に、屋根作業用の手摺体を連結するように設けたことを特徴とする高所作業用の手摺支持構造。
【請求項２】
前記張り出しブラケットは、前記建地に連結する連結端部に楔が設けられ、内部に前記スライド管をスライド自在に収納する水平管と、該水平管の下面に連結されて前記建地側面に当接して水平管を支持せしめる支持体とで構成され、該張り出しブラケットの水平管の側面に固定ボルトが設けられ、該固定ボルトにて水平管内の前記スライド管の側面を押圧して固定する圧着固定手段と、スライド管の側面に長孔状のスライド孔を開穿すると共に、水平管の側面に回転止用ボルトを設け、この回転止用ボルトをスライド孔にスライド自在に挿通し、前記手摺体を組み付け後、該回転止用ボルトを水平管に溶接する溶着固定手段とを備えた請求項１記載の高所作業用の手摺支持構造。
【請求項３】
前記手摺体は、前記手摺支持管の楔ポケットに連結する楔が一端部に設けられた手摺管と、該手摺管の間にスライド自在に収納される長さ調整杆とからなり、手摺管の側面に設けられた連結ボルトにて内部の長さ調整杆の側面を押圧して該長さ調整杆のスライド長さを固定すると共に、該連結ボルトに係止して長さ調整杆の抜けを防止する抜止係止部を長さ調整杆の両端に設けた請求項１記載の高所作業用の手摺支持構造。
【考案の詳細な説明】
【技術分野】
【０００１】
本発明は、例えば戸建住宅の屋根や屋上での作業の際に、作業員の安全性を確保することができる高所作業用の手摺支持構造に関する。
【背景技術】
【０００２】
戸建住宅の建築施工や補修時に仮設足場が構築される。この仮設足場は、住宅の周囲に配置されることで、作業員の足場や養生ネットを支持するために用いられている。
【０００３】
例えば、軒先廻りにおける施工安全性を確保しつつ全体の工期を短縮可能な足場用ブラケット及びそれを用いた足場構造が特許文献１に記載されている。この足場構造によると、補剛用単管を建地単管に抱き合わせるとともに、該建地単管若しくは補剛用単管に所定の足場用ブラケットを連結してなるものである。
【先行技術文献】
【特許文献】
【０００４】
【特許文献１】特開平１０−２０５１２０号公報
【考案の概要】
【考案が解決しようとする課題】
【０００５】
ところが、従来の足場構造では、軒先廻りにおける施工安全性を確保することは可能でも、屋根で作業を行う場合、作業位置と足場との間に大きな間隔があるために、作業者の安全性を確保することは構造上困難であった。したがって、従来では、このような特殊な場所の施工には、例えばロープなどの仮設の手摺りなどが別途設けられているが、仮設足場の構成と異なる造作になるので、この手摺りなどを設置する作業等に多くの手間を要するものであった。
【０００６】
そこで本考案は、係る課題を解決すべく案出されたもので、作業位置と足場との間に大きな間隔があっても屋上施工時の安全性を十分に確保することが可能で、しかも、通常の足場と同様に、作業スペースに合わせて簡単に設置することができる高所作業用の手摺支持構造の提供を目的とするものである。
【課題を解決するための手段】
【０００７】
本考案の第１の手段は、仮設用足場Ｐを構築する楔ポケット１１付の建地１０と、該建地１０に連結される楔２１付の張り出しブラケット２０と、該張り出しブラケット２０の水平管２２にスライド自在に連結されたスライド管３１及び該スライド管３１の先端に垂直に支持された楔ポケット３３付の手摺支持管３３にて構成された手摺支持体３０と、該手摺支持体３０の手摺支持管３３に位置調整自在に連結される楔４１付の手摺体４０とで構成され、仮設用足場Ｐの建地１０から張り出しブラケット２０を介して家屋Ｑの屋根Ｑ１又は屋上に至るように設置された手摺支持体３０に、屋根作業用の手摺体４０を連結するように設けたことにある。
【０００８】
第２の手段の前記張り出しブラケット２０は、前記建地１０に連結する連結端部に楔２１が設けられ、内部に前記スライド管３１をスライド自在に収納する水平管２２と、該水平管２２の下面に連結されて前記建地１０側面に当接して水平管２２を支持せしめる支持体２３とで構成され、前記張り出しブラケット２０の前記水平管２２の側面に固定ボルト２４が設けられ、該固定ボルト２４にて水平管２２内の前記スライド管３１の側面を押圧して固定する圧着固定手段と、スライド管３１の側面に長孔状のスライド孔３２を開穿すると共に、水平管２２の側面に回転止用ボルト２６を設け、この回転止用ボルト２６を連結孔２５に挿通し、前記手摺体４０を組み付け後、該回転止用ボルト２６を水平管２２に溶接する溶着固定手段とを備えた手摺支持構造にある。
【０００９】
第３の手段の前記手摺体４０は、前記手摺支持管３３の楔ポケット３３に連結する楔４１が一端部に設けられた一対の手摺管４２と、該手摺管４２の間にスライド自在に収納される長さ調整杆４３とからなり、手摺管４２の側面に設けられた連結ボルト４５にて内部の長さ調整杆４３の側面を押圧して該長さ調整杆４３のスライド長さを固定すると共に、該連結ボルト４５に係止して長さ調整杆４３の抜けを防止する抜止係止部４４を長さ調整杆４３の両端に設けたことを課題解決のための手段とする。
【考案の効果】
【００１０】
本考案の請求項１の如く、仮設用足場Ｐの建地１０から張り出しブラケット２０を介して家屋Ｑの屋根Ｑ１又は屋上に至るように設置された手摺支持体３０に、屋根作業用の手摺体４０を連結するように設けることで、作業位置と足場との間に大きな間隔があっても屋上施工時の安全性を十分に確保することが可能になった。
【００１１】
また、請求項２のように、張り出しブラケット２０は、建地１０に連結する連結端部に楔２１が設けられ、内部に前記スライド管３１をスライド自在に収納する水平管２２と、該水平管２２の下面に連結されて前記建地１０側面に当接して水平管２２を支持せしめる支持体２３とで構成されているので、手摺支持体３０を介して手摺体４０を設置する作業においても、通常の足場と同様に、作業スペースに合わせて簡単に設置することができる。
【００１２】
しかも、固定ボルト２４にて水平管２２内の前記スライド管３１の側面を押圧して固定する圧着固定手段と、手摺体４０を組み付け後、該回転止用ボルト２６を水平管２２に溶接する溶着固定手段とを備えているので、極めて安全性が高く、高所の工事に好適なものになっている。
【００１３】
更に、請求項３の如く、手摺管４２の側面に設けられた連結ボルト４５にて内部の長さ調整杆４３の側面を押圧して該長さ調整杆４３のスライド長さを固定すると共に、該連結ボルト４５に係止して長さ調整杆４３の抜けを防止する抜止係止部４４を長さ調整杆４３の両端に設けたことで、万が一にも手摺管４２が抜け落ちる恐れを解消し、高所に配置する手摺として安全な手摺を提供することができる。
【図面の簡単な説明】
【００１４】
【図１】本考案の施工状態の一実施例を示す正面図である。
【図２】本考案の他の施工状態の一実施例を示す正面図である。
【図３】図２に示す施工状態を示要部平面図である。
【図４】本考案張り出しブラケットと手摺支持体の一実施例を示す正面図である。
【図５】図４に示す張り出しブラケットと手摺支持体を示す側面図である。
【図６】（イ）、（ロ）は、本考案手摺体一実施例を示す正面図である。
【考案を実施するための形態】
【００１５】
本考案によると、作業位置と足場との間に大きな間隔があっても屋根や屋上施工時の安全性を十分に確保することが可能で、しかも、通常の足場と同様に、作業スペースに合わせて簡単に設置することができるなどといった当初の目的を実現した。
【実施例】
【００１６】
本考案手摺支持構造は、建地１０、張り出しブラケット２０、手摺支持体３０、手摺体４０にて構成される（図１、図２参照）。
【００１７】
建地１０は、仮設用足場Ｐを構築する楔ポケット１１付の建地１０を使用するものであり、仮設用足場Ｐは、通常の施工手順にて設置されるものである（図２参照）。
【００１８】
張り出しブラケット２０は、仮設用足場Ｐの建地１０に連結される部材で、本考案の場合、特に、屋根や屋上付近に設置される（図１参照）。この張り出しブラケット２０は、更に、水平管２２と支持体２３とで構成されている。
【００１９】
水平管２２は、建地１０に連結する連結端部に楔２１が設けられた部材で、内部に前記スライド管３１をスライド自在に収納している（図４参照）。更に、水平管２２の側面に固定ボルト２４が設けられ、該固定ボルト２４にて水平管２２内の前記スライド管３１の側面を押圧して固定するように設けている。この固定手段を圧着手段とする。
【００２０】
支持体２３は、水平管２２の下面に連結されて前記建地１０側面に当接して水平管２２を支持せしめる部材である（図４参照）。図示例の支持体２３は、水平管２２と建地１０との間に介する斜材２３Ａと、該斜材２３Ａと水平管２２とを連結する垂直材２３Ｂとで構成したものである。
【００２１】
手摺支持体３０は、張り出しブラケット２０の水平管２２の先端にスライド自在に連結されるもので、屋根や屋上作業用の手摺体４０を連結支持する（図２参照）。この手摺支持体３０は更に、スライド管３１及び該スライド管３１の先端に垂直に支持された楔ポケット３３付の手摺支持管３３にて構成されている。
【００２２】
スライド管３１の側面には長孔状のスライド孔３２が開穿されている（図４参照）。更に、水平管２２の側面に回転止用ボルト２６を設け、この回転止用ボルト２６をスライド孔３２にスライド自在に挿通している（図５参照）。そして、手摺体４０を組み付け後、該回転止用ボルト２６を水平管２２に溶接して回転止用ボルト２６が脱落しないように設けている。この固定手段を溶着固定手段とする。
【００２３】
手摺体４０は、該手摺支持体３０の手摺支持管３３に位置調整自在に連結される部材である。この手摺体４０は更に、手摺管４２と長さ調整杆４３とで構成されている（図６参照）。
【００２４】
手摺管４２は、手摺支持管３３の楔ポケット３３に連結する楔４１が一端部に設けられた部材で、該手摺管４２の他端部内に長さ調整杆４３をスライド自在に収納している（図６（イ）参照）。更に、手摺管４２の側面に連結ボルト４５を設け、この連結ボルト４５にて内部の長さ調整杆４３の側面を押圧して該長さ調整杆４３のスライド長さを固定するように設けている。また、長さ調整杆４３の両端に抜止係止部４４を設け、この抜止係止部４４が連結ボルト４５に係止して長さ調整杆４３の抜けを防止するように設けている（同図（ロ）参照）。
【００２５】
本考案手摺支持構造によると、仮設用足場Ｐの建地１０から張り出しブラケット２０を介して家屋Ｑの屋根Ｑ１上に至るように手摺支持体３０を設置する（図１参照）。そして、この手摺支持体３０に屋根作業用の手摺体４０を連結するように構成したものである。また、作業が屋上で行われる場合は、この屋上の周囲に手摺体４０を張り巡らすことも可能である（図２、３参照）。
【００２６】
尚、図示例の各構成は、本考案の一実施例に過ぎず、建地１０、張り出しブラケット２０、手摺支持体３０、手摺体４０の構成は、本考案の要旨を変更しない範囲において自由に変更することができる。
【産業上の利用可能性】
【００２７】
本考案手摺支持構造は、特に、戸建住宅の屋根や屋上での作業の際に好適であるが、ビル建築における作業の安全性を確保することも可能である。
【符号の説明】
【００２８】
Ｐ  仮設用足場
Ｑ  家屋
Ｑ１  屋根
１０  建地
１１  楔ポケット
２０  張り出しブラケット
２１  楔
２２  水平管
２３  支持体
２３Ａ  斜材
２３Ｂ  垂直材
２４  固定ボルト
２５  連結孔
２６  回転止用ボルト
３０  手摺支持体
３１  スライド管
３２  スライド孔
３３  手摺支持管
３４  楔ポケット
４０  手摺体
４１  楔
４２  手摺管
４３  長さ調整杆
４４  抜止係止部
４５  連結ボルト
【図１】
0003159046.tif 000003
【図２】
0003159046.tif 000004
【図３】
0003159046.tif 000005
【図４】
0003159046.tif 000006
【図５】
0003159046.tif 000007
【図６】
0003159046.tif 000008